(57)【要約】【課題】マンホール内の溜まり水から浮き油中のＰＣＢを高精度に分離可能で、かつ可搬性の高いコンパクトフィルタリング装置を提供する。【解決手段】コンパクトフィルタリング装置１０は、被濾過水を注入する注入口１１と、注入された被濾過水を濾過するための第１フィルタ１（コットン系フィルタ）、第２フィルタ２（活性炭フィルタ）及び第３フィルタ３（ポリエーテルサルフォンメンブレンフィルタ）と、濾過水を吐出する吐出口１７とを備え、第１フィルタ１、第２フィルタ２及び第３フィルタ３がこの順序で濾過処理が行われるよう連結されていることを特徴とする。【選択図】図１
2008029995.tif 000002
【特許請求の範囲】
【請求項１】
被濾過水を注入する注入口と、注入された前記被濾過水を濾過するための第１フィルタ、第２フィルタ及び第３フィルタと、濾過水を吐出する吐出口とを備えたコンパクトフィルタリング装置であって、
前記第１フィルタ、前記第２フィルタ及び前記第３フィルタは、この順序で濾過処理が行われるよう連結されており、前記第１フィルタは、コットン系フィルタであり、前記第２フィルタは、活性炭フィルタであり、前記第３フィルタは、ポリエーテルサルフォンメンブレンフィルタであることを特徴とするコンパクトフィルタリング装置。
【請求項２】
前記第１フィルタ、前記第２フィルタ及び前記第３フィルタは、下部に前記濾過水を受ける受け皿を有する支柱板に固定されていることを特徴とする請求項１記載のコンパクトフィルタリング装置。
【請求項３】
前記第１フィルタ、前記第２フィルタ及び前記第３フィルタは、透明なプラスチックハウジングを有することを特徴とする請求項１又は請求項２に記載のコンパクトフィルタリング装置。
【請求項４】
前記支柱板は、液体運搬容器に取り付け可能な固定手段が設けられていることを特徴とする請求項２又は請求項３に記載のコンパクトフィルタリング装置。
【請求項５】
前記受け皿は、前記コンパクトフィルタリング装置の収納ケースの一部として兼用される構成であることを特徴とする請求項２乃至請求項４のいずれか１項に記載のコンパクトフィルタリング装置。
【発明の詳細な説明】
【技術分野】
【０００１】
本発明は、コンパクトフィルタリング装置に関し、特に、マンホール内の溜まり水から浮き油中のＰＣＢを高精度に分離可能なコンパクトフィルタリング装置に関する。
【背景技術】
【０００２】
マンホール内に敷設されたＯＦケーブルからの漏油が、マンホール内の溜まり水に浮き油として存在することがある。この浮き油にＰＣＢ（ポリ塩化ビフェニル）が含まれていた場合、法令に従い、管理・保管することになるが、保管スペースの関係上、極力、保管量を削減する必要がある。
【０００３】
そこで、水とＰＣＢとを分離させ、水の無害化を目的とした濾過装置（フィルタリング装置）の開発がなされている。
【０００４】
排水（廃水）から有機物質等の有害物質を除去する処理方法及び処理装置としては、例えば、特許文献１や特許文献２に記載の方法が知られている。
【特許文献１】特開２００１−２５７９４号公報
【特許文献２】特開２００３−１０８４２号公報
【発明の開示】
【発明が解決しようとする課題】
【０００５】
しかしながら、特許文献１や特許文献２に記載の装置は、大型で可搬性に乏しく、簡便性などの点で問題がある。
【０００６】
従って、本発明の目的は、マンホール内の溜まり水から浮き油中のＰＣＢを高精度に分離可能で、かつ可搬性の高いコンパクトフィルタリング装置を提供することにある。
【課題を解決するための手段】
【０００７】
本発明は、上記目的を達成するため、被濾過水を注入する注入口と、注入された前記被濾過水を濾過するための第１フィルタ、第２フィルタ及び第３フィルタと、濾過水を吐出する吐出口とを備えたコンパクトフィルタリング装置であって、前記第１フィルタ、前記第２フィルタ及び前記第３フィルタは、この順序で濾過処理が行われるよう連結されており、前記第１フィルタは、コットン系フィルタであり、前記第２フィルタは、活性炭フィルタであり、前記第３フィルタは、ポリエーテルサルフォンメンブレンフィルタであることを特徴とするコンパクトフィルタリング装置を提供する。
【０００８】
上記の本発明は、以下の特徴を１つ以上有する発明を含む。
（１）前記第１フィルタ、前記第２フィルタ及び前記第３フィルタは、下部に前記濾過水を受ける受け皿を有する支柱板に固定されている。
（２）前記第１フィルタ、前記第２フィルタ及び前記第３フィルタは、透明なプラスチックハウジングを有する。
（３）前記支柱板は、液体運搬容器に取り付け可能な固定手段が設けられている。
（４）前記受け皿は、前記コンパクトフィルタリング装置の収納ケースの一部として兼用される構成である。
【発明の効果】
【０００９】
本発明によれば、マンホール内の溜まり水から浮き油中のＰＣＢを高精度に分離可能で、かつ可搬性の高いコンパクトフィルタリング装置を提供できる。
【発明を実施するための最良の形態】
【００１０】
[本発明の実施の形態]
〔コンパクトフィルタリング装置の構成〕
図１は、本発明の実施の形態に係るコンパクトフィルタリング装置の概略構成を示す正面図である。図２は、図１の側面図である。
【００１１】
コンパクトフィルタリング装置１０は、被濾過水（例えば、マンホール内溜まり水）を濾過するための第１フィルタ１、第２フィルタ２及び第３フィルタ３を備え、これらのフィルタはこの順序で濾過処理が行われるように連結されている。これらのフィルタは、例えば、図１に示されるように右から第１フィルタ１、第２フィルタ２、第３フィルタ３の順で同一平面上に整列して配置される。
【００１２】
第１フィルタ１には、被濾過水の源水注入口１１がパイプ７により接続されており、第３フィルタ３には、濾過水の吐出口１７がパイプ７及び連結管１３により接続されている。各フィルタ間も同様にパイプ７により接続されている。
【００１３】
源水注入口１１と第１フィルタ１の間には流量調節用の逆止付バルブ１２が設けられ、第３フィルタ３と吐出口１７の間にも逆止付バルブ１６が設けられている。また、逆止付バルブ１６の手前に二方向へ分岐する管継手が設けられ、その上方向分岐（図１において）の開口には、逆止付バルブ１６が閉じられた時に濾過水が流れる流量計１４が設置された流路が連結され、該流路の先には濾過水吐出口１５が設けられている。
【００１４】
第１フィルタ１は、コットン系フィルタであり、大きい埃やスラッジ等を除去する。例えば、山信工業株式会社製のコットン系フィルタ（製品番号ＸＳＣＨ−２５Ｘ）を用いることができる。第１フィルタ１は、フィルタの外側が粗く、内側に行くにつれ、濾過精度が細かくなる密度勾配を有しているものが、急激な目詰まりを防止する観点から望ましい。
【００１５】
第２フィルタ２は、活性炭フィルタであり、油分や化学物質等を除去する。例えば、山信工業株式会社製の活性炭フィルタ（製品番号ＸＣＦＣ−２００）を用いることができる。第２フィルタ２としては、種々の粒径・形状（粒状、ブロック状など）の活性炭を使用できる。
【００１６】
第３フィルタ３は、ポリエーテルサルフォンメンブレンフィルタであり、第２フィルタ２の活性炭等を除去する。例えば、山信工業株式会社製のポリエーテルサルフォンメンブレンフィルタ（製品番号ＸＹＳＰ−０２０）を用いることができる。第３フィルタ３は、高濾過精度で高流量のフィルタであり、クリーン性に優れた親水性メンブレンフィルタである。
【００１７】
第１〜３フィルタ１〜３のハウジングには、ＡＢＳ／ＡＳ樹脂からなる胴体透明なプラスチックハウジングを用いることが望ましく、例えば、山信工業株式会社製のプラスチックハウジング（製品名：エクセルフィルタハウジングＥＡＳ０１０）を使用できる。ハウジング胴体部分が透明であるため、運転状況が確認しやすい。高さ３２４〜３３０ｍｍ程度、直径１２０〜１３０ｍｍ程度のプラスチックハウジングを用いることが望ましい。
【００１８】
第１〜３フィルタ１〜３は、支柱板４に固定され、支柱板４の下部には濾過水を受ける受け皿５が設けられており、該受け皿５は平置きして使用できるような形態とされている。また、該受け皿５には、濾過水を排出するための受け皿排出口６が設けられている。本実施の形態においては、パイプ７を止め金具８で支柱板４に固定することにより、各フィルタ１〜３を固定している。
【００１９】
支柱板４及び受け皿５は、例えばステンレス（ＳＵＳ３０４など）材から構成されており、パイプ７は鉄などの金属材から構成されている。また、連結管１３としては、例えばビニルホースが用いられる。
【００２０】
また、支柱板４の背面上部には、コンパクトフィルタリング装置１０をエコバルク等の液体運搬容器に取り付けて使用できるよう本体固定Ｕ金具９が設けられている。エコバルク本体等に固定させて濾過することができる構造であれば、固定手段は、本体固定Ｕ金具９に限られない。
【００２１】
コンパクトフィルタリング装置１０の大きさは、できる限りコンパクトにすることが望ましく、例えば、高さ６００〜６２０ｍｍ、横幅７７０〜８００ｍｍ、奥行き３２５〜３５０ｍｍ、受け皿５の高さ８０〜９０ｍｍとする。
【００２２】
〔コンパクトフィルタリング装置の収納ケース〕
図３は、本発明の実施の形態に係るコンパクトフィルタリング装置の収納ケースを示し、（ａ）は正面図、（ｂ）は側面図である。
【００２３】
コンパクトフィルタリング装置１０は、可搬の収納ケース３０に収められる。収納ケース３０は、例えばジュラルミン等の金属からなり、パッキン錠３１により簡便に開閉できる。コンパクトフィルタリング装置１０の上面には、持ち運び用の取っ手が取り付けられている（図示なし）。
【００２４】
収納ケース３０の下部は、コンパクトフィルタリング装置１０の受け皿５と兼用の構成としてもよい。
【００２５】
〔コンパクトフィルタリング装置の使用形態〕
図４は、本発明の実施の形態に係るコンパクトフィルタリング装置の使用形態を示す正面図である。図５は、図４の側面図である。
【００２６】
コンパクトフィルタリング装置１０は、受け皿５の底面を地面に平置きして使用することができるが、エコバルク４０等の液体運搬容器に本体固定Ｕ金具９等の固定手段により取り付け固定して使用することもできる。
【００２７】
エコバルク４０への設置状態を安定にするため、コンパクトフィルタリング装置１０をエコバルク４０よりも軽くすることが望ましい。
【００２８】
[本発明の実施の形態の効果]
（１）本発明の実施の形態によれば、マンホール内の溜まり水から浮き油中のＰＣＢを高精度に分離可能で、かつ可搬性の高いコンパクトフィルタリング装置を提供できる。装置の可搬が容易であるため、被濾過水（例えば、マンホール内溜まり水）を持ち帰らずにその場で分離作業ができる。
（２）受け皿５を有するため、濾過水の飛散防止が可能である。
（３）コンパクト化により、可搬の収納ケースに収納して簡便に持ち運びができる。
（４）エコバルク本体に固定させて濾過できる構造としたため、広い処理スペースを必要としない。
【実施例】
【００２９】
上記本発明の実施の形態に係るコンパクトフィルタリング装置１０（第１フィルタ１：山信工業株式会社製のコットン系フィルタ（製品番号ＸＳＣＨ−２５Ｘ）、第２フィルタ２：山信工業株式会社製の活性炭フィルタ（製品番号ＸＣＦＣ−２００）、第３フィルタ３：山信工業株式会社製のポリエーテルサルフォンメンブレンフィルタ（製品番号ＸＹＳＰ−０２０）、ハウジング：山信工業株式会社製のエクセルフィルタハウジングＥＡＳ０１０）を作製し、その効果を検証した。
【００３０】
効果の検証は二つの被濾過水を用いて実施した。
一つ目の被濾過水は、ＰＣＢを含有している絶縁油を混合させた溜まり水を用い、溜まり水内の油量および濾過前後のＰＣＢ含量の測定を行った。
二つ目の被濾過水はＰＣＢを含有していない絶縁油を混合させた水道水を用い水道水内の油量および濾過前後の絶縁油含量の測定を行なった。
【００３１】
ＰＣＢ含量の測定は水質汚濁に係る環境基準について（昭４６環告５９号付表３）に基き、ガスクロマトグラフ（電子捕獲型検出器）によるＧＣ−ＥＣＤ法により行った。
【００３２】
【表１】
2008029995.tif 000003
【００３３】
絶縁油含量の測定は、工業排水試験法（ＪＩＳ−Ｋ−０１０２）を参考に重量法により行った。
【００３４】
【表２】
2008029995.tif 000004
【００３５】
実施例１〜３すべてにおいて、コンパクトフィルタリング装置１０により濾過することで、ＰＣＢを水から除去することができた。
【００３６】
実施例４において、コンパクトフィルタリング装置１０により濾過することで、絶縁油を水から除去することができた。
【図面の簡単な説明】
【００３７】
【図１】本発明の実施の形態に係るコンパクトフィルタリング装置の概略構成を示す正面図である。
【図２】図１の側面図である。
【図３】本発明の実施の形態に係るコンパクトフィルタリング装置の収納ケースを示し、（ａ）は正面図、（ｂ）は側面図である。
【図４】本発明の実施の形態に係るコンパクトフィルタリング装置の使用形態を示す正面図である。
【図５】図４の側面図である。
【符号の説明】
【００３８】
１：第１フィルタ
２：第２フィルタ
３：第３フィルタ
４：支柱板
５：受け皿
６：受け皿排出口
７：パイプ
８：止め金具
９：本体固定Ｕ金具
１０：コンパクトフィルタリング装置
１１：源水注入口
１２：逆止付バルブ
１３：連結管
１４：流量計
１５：濾過水吐出口
１６：逆止付バルブ
１７：吐出口
３０：収納ケース
３１：パッキン錠
４０：エコバルク
【図１】
2008029995.tif 000005
【図２】
2008029995.tif 000006
【図３】
2008029995.tif 000007
【図４】
2008029995.tif 000008
【図５】
2008029995.tif 000009